【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
展開された構成で第１の総外周領域を有するほぼ平坦な形態で構成され、かつ独立して放射状の展開力を加えて展開された構成を達成するように構成された柔軟な支持構造体と、
前記柔軟な支持構造体の中心部から前記柔軟な支持構造体の周囲まで一般に渦巻き状に延在する前記柔軟な支持構造体内の分離線と、
前記柔軟な支持構造体の前記中心部において前記分離線の最内端に配置された貫通切断部と、
前記中心部において前記貫通切断部の近位で前記柔軟な支持構造体に結合された第１のストラップと、
前記中心部において前記第１のストラップよりも前記貫通切断部から遠位で前記柔軟な支持構造体に結合された第２のストラップと、
を含み、
前記第１のストラップに加えられた第１の引張力により、前記貫通切断部で始まる前記分離線に沿った分離が開始し、
前記第１のストラップおよび前記第２のストラップは、前記柔軟な支持構造体から遠位側の位置で互いに係止するように構成されており、係止された構成の場合は、展開装置を位置決めするための位置決めツールを形成し、係止されていない構成の場合は、前記第１のストラップに加えられた前記第１の引張力により前記貫通切断部で始まる前記分離線に沿った分離を開始することができる取り外しツールを形成し、かつ
前記第２のストラップに加えられた前記第１の引張力により、前記貫通切断部で始まる前記分離線に沿った分離を開始せず、それにより、前記第２のストラップが前記位置決めツールを少なくとも部分的に形成するように、前記第２のストラップが構成および配置されていることを特徴とする、展開装置。
【請求項２】
前記柔軟な支持構造体は、前記展開された構成にある場合に、前記柔軟な支持構造体によって占有される前記第１の総外周領域よりも小さい第２の総外周領域を有するプロテーゼの開口部から取り外されるように構成されている、請求項１に記載の展開装置。
【請求項３】
前記分離線は、複数の貫通穴を含む、請求項１に記載の展開装置。
【請求項４】
前記分離線は、連続ストリップ状の材料を含む、請求項１に記載の展開装置。
【請求項５】
前記第１のストラップおよび前記第２のストラップは、前記柔軟な支持構造体に対して近位側の端部で互いに結合されている、請求項１に記載の展開装置。
【請求項６】
前記第１のストラップおよび前記第２のストラップは、連続する細長いストラップである、請求項１に記載の展開装置。
【請求項７】
前記展開された構成でほぼ平坦な形態に構成された前記柔軟な支持構造体の前記第１の総外周領域は、前記装置がその中に配置されるプロテーゼ内に嵌合し、かつこれを完全に拡張および展開するように大きさ決めおよび寸法決めされており、前記プロテーゼは、互いに結合された最上層および最下層を含み、かつ前記装置がその中に配置されるように構成されているエンクロージャをその間に形成している、請求項１に記載の展開装置。
【請求項８】
前記分離線に沿った分離は、前記柔軟な支持構造体の外周によって形成されたリング構成で終了する、請求項１に記載の展開装置。
【請求項９】
請求項１に記載されている展開装置と、
互いに結合され、かつその間にエンクロージャを形成する最上層および最下層を含むプロテーゼであって、前記最上層は、前記エンクロージャへの開口部を有し、前記開口部の第２の外周領域は、前記開口部が配置されている前記展開装置の前記第１の総外周領域と前記最上層の第３の外周領域よりも小さいプロテーゼと、
を含み、
前記展開装置が前記エンクロージャ内に取り外し可能に配置され、かつ前記プロテーゼの前記エンクロージャ内に配置されている場合には、前記プロテーゼにかかる放射状の展開力を加えるように構成されており、かつ
適当な引張力が前記第１のストラップに加えられると、前記柔軟な支持構造体が前記ほぼ平坦な形態から細長い連続ストリップに再構成されるように、前記分離線に沿った分離が生じ、さらに、連続的な引張力により、前記柔軟な支持構造体が最終的に前記プロテーゼから取り外されるように、前記細長い連続ストリップを、前記開口部に通過させることを特徴とする、システム。
【請求項１０】
前記柔軟な支持構造体の前記中心部において前記分離線の最内端に配置された貫通切断部をさらに含む、請求項１に記載の展開装置。
【請求項１１】
前記第２のストラップは、前記第１のストラップよりも前記貫通切断部から遠位に配置されている、請求項１０に記載の展開装置。
【請求項１２】
前記柔軟な支持構造体の前記分離線に沿った部分は、取り外し前に互いに連結されており、前記展開装置を前記プロテーゼから取り外すために分離するように構成されている、請求項１に記載の展開装置。
【請求項１３】
前記分離線は、複数の貫通穴または連続ストリップ状の材料を含む、請求項１に記載の展開装置。
【請求項１４】
前記分離線の内端に近接した前記柔軟な支持構造体の中にそこを貫通して位置する応力緩和孔または開口部をさらに含む、請求項１に記載の展開装置。
【請求項１５】
前記第１のストラップと前記第２のストラップが係止された構成の場合、前記第１のストラップは少なくとも部分的に屈曲し、前記第１のストラップにかかる力が少なくとも部分的に前記第２のストラップに沿って分散されるように、前記第１のストラップが前記第２のストラップよりも長い、請求項１に記載の展開装置。
【請求項１６】
前記柔軟な支持構造体は、前記プロテーゼを展開されていない構成から展開された構成にするのに十分な力を生じさせる弾性を有する、請求項９に記載のシステム。
【請求項１７】
前記展開された構成でほぼ平坦な形態に構成された前記柔軟な支持構造体の総外周領域は、前記柔軟な支持構造体が前記プロテーゼ内に嵌合し、かつこれを完全に拡張および展開させるように大きさ決めおよび寸法決めされている、請求項９に記載のシステム。
【請求項１８】
前記分離線に沿った分離は、前記柔軟な支持構造体の外周によって形成されたリング構成で終了する、請求項１に記載の展開装置。
【請求項１９】
展開された構成で、ほぼ平坦な形態で構成された柔軟な支持構造体と、
一般に渦巻き状に延在する前記柔軟な支持構造体内の分離線と、
第１の位置で、前記柔軟な支持構造体に結合された第１のストラップと、かつ
第２の位置で、前記柔軟な支持構造体に結合された第２のストラップと、
を含み、
前記第１の位置で力が加えられたとき、前記柔軟な支持構造体に分離力を及ぼし、前記分離線に沿った分離が開始され、前記第２の位置で力が加えられたとき、分離を開始しないように、前記第１および第２の位置が配置されていることを特徴とする、展開装置。
【請求項２０】
前記柔軟な支持体構造内に貫通切断部をさらに含み、前記第２の位置より前記第１の位置が、前記貫通切断部の近位に配置されている、請求項１９に記載の展開装置。
【請求項２１】
前記第１のストラップと前記第２のストラップが係止されていない構成の場合は、前記第１のストラップにかかる引張力に応答して前記分離線に沿った分離が開始され、係止された構成の場合は、分離線に沿った分離が開始されないように、
前記第１の位置で、前記第１のストラップが、前記柔軟な支持構造体に引張力を加える前記係止されていない構成と、
前記第２の位置で、前記第１のストラップが、前記第２のストラップと係止された嵌合を経て引張力を加える前記係止された構成とを、
選択的に嵌合できるように、前記第１のストラップと前記第２のストラップが構成されていることを特徴とする、請求項１９に記載の展開装置。
【請求項２２】
前記係止されていない構成と前記係止された構成との切り替えができるように、前記第１のストラップと前記第２のストラップが、互いに選択的に嵌合できる、突起部とスリットをさらに備える、請求項２１に記載の展開装置。
【請求項２３】
延在する分離線を備える柔軟な支持構造体と、
第１の位置で、第１のストラップから前記柔軟な支持構造体に力が加わるように構成された、前記第１の位置で前記柔軟な支持構造体に結合された前記第１のストラップと、かつ
第２の位置で、第２のストラップから前記柔軟な支持構造体に力が加わるように構成された、前記第２の位置で前記柔軟な支持構造体に結合された前記第２のストラップと、
を含み、
前記第１のストラップと前記第２のストラップが係止されていない構成の場合であって、前記第１のストラップに力が加えられた場合、前記柔軟な支持構造体に分離力を及ぼし、前記分離線に沿った分離が開始され、
前記第１のストラップと前記第２のストラップが係止された構成の場合であって、前記第１のストラップと前記第２のストラップに力が加えられた場合、前記柔軟な支持構造体に分離力を及ぼさず、前記分離線に沿った分離が開始されないように、
前記第１のストラップと前記第２のストラップが、前記柔軟な支持構造体から遠位側の位置で互いに係止するように構成されている、展開装置。